(57)【要約】【課題】本体部材または電池室とミラーボックスを連結する補強部材を廃止してもカメラ本体の剛性を維持する構成であり、部品点数削減により小型軽量化された撮像装置を提供すること。【解決手段】レンズが着脱可能であるマウント（２）と、前記マウント（２）が取り付けられるミラーボックス（２０）と、前記ミラーボックス（２０）が固定される本体部材（３０）と、前記本体部材（３０）の一部を覆うものであり前記本体部材（３０）または前記ミラーボックス（２０）に固定される外装部材と、グリップ部（９）を備えた撮像装置において、前記外装カバー（５０）が前記ミラーボックス（２０）および前記本体部材（３０）との間で当接面を設けており、前記外装カバー（５０）が突っ張ることでグリップ部（９）を構成していることを特徴とする。【選択図】  図５
2014021416.tif 000002
【特許請求の範囲】
【請求項１】
レンズが着脱可能であるマウント（２）と、
前記マウント（２）が取り付けられるミラーボックス（２０）と、
前記ミラーボックス（２０）が固定される本体部材（３０）と、
前記本体部材（３０）の一部を覆うものであり前記本体部材（３０）または前記ミラーボックス（２０）に固定される外装部材と、
グリップ部（９）を備えた撮像装置において、
前記外装カバー（５０）が前記ミラーボックス（２０）および前記本体部材（３０）との間で当接面を設けており、前記外装カバー（５０）が突っ張ることでグリップ部（９）を構成していることを特徴とする撮像装置。
【請求項２】
前記外装カバー（５０）のグリップ部（９）には、前記当接面の外側上下に補強リブ（ｒ１、ｒ２）が形成されていることを特徴とする請求項１に記載の撮像装置。
【請求項３】
前記外装カバー（５０）のグリップ部（９）の補強リブ（ｒ１、ｒ２）は、前記本体部材（３０）への締結部と一体化していることを特徴とする請求項１又は請求項２に記載の撮像装置。
【発明の詳細な説明】
【技術分野】
【０００１】
本発明は、グリップ部を備える撮像装置の外装部材と本体構造に関する。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。撮像素子としては、ＣＣＤ（Ｃｈａｒｇｅ  Ｃｏｕｐｌｅｄ  Ｄｅｖｉｃｅ）や、ＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００３】
近年、このような撮像装置において、コストダウンや、小型軽量化が図られている。特に、大型の撮像素子を用いたデジタル一眼レフカメラの場合、カメラ本体は堅牢かつ剛性さも兼ね備える必要がある。
【０００４】
例えば、特許文献１では、グリップ部の剛性を高くするために、ミラーボックス１０４と電池室１０６を連結する補強部材を備える。このような構成にすることで、カメラ本体１００に対して、Ｘ方向でグリップ側からの衝撃などの力に対して、グリップ部がマウント部１９０に倒れこむ変形を防止することができている。また、グリップホールド性も向上する。
【先行技術文献】
【特許文献】
【０００５】
【特許文献１】特開２０１１−５３２３６号公報
【発明の概要】
【発明が解決しようとする課題】
【０００６】
しかしながら、特許文献１に開示された従来技術では、補強部材が配置されているため、グリップ部が厚型化してしまう。また、部品点数が増加するため、カメラ重量が重くなり、コストも上がってしまう。
【０００７】
そこで本発明の目的は、本体部材または電池室とミラーボックスを連結する補強部材を廃止してもカメラ本体の剛性を維持する構成として、部品点数削減により小型軽量化することである。
【課題を解決するための手段】
【０００８】
上記目的を解決するために、本発明は、
レンズが着脱可能であるマウント（２）と、
前記マウント（２）が取り付けられるミラーボックス（２０）と、
前記ミラーボックス（２０）が固定される本体部材（３０）と、
前記本体部材（３０）の一部を覆うものであり前記本体部材（３０）または前記ミラーボックス（２０）に固定される外装部材（５０）と、
グリップ部（９）を備えた撮像装置において、
前記外装カバー（５０）が前記ミラーボックス（２０）および前記本体部材（３０）との間で当接面を設けており、前記外装カバー（５０）が突っ張ることでグリップ部（９）を構成していることを特徴とする。
【発明の効果】
【０００９】
本発明によれば、カメラ本体または電池室とミラーボックスを連結する補強部材を廃止してもカメラ本体の剛性を維持する構成であるため、部品点数削減により小型軽量化することが可能である。
【図面の簡単な説明】
【００１０】
【図１】本発明の実施形態におけるカメラ全体の概略構成を示す斜視図である。
【図２】本発明の実施形態におけるカメラ内部の電気的構成を示す図である。
【図３】本発明の実施形態におけるカメラを前面から見た分解斜視図である。
【図４】本発明の実施形態におけるカメラを背面から見た分解斜視図である。
【図５】本発明の実施形態におけるカメラグリップ部の内部構造を示す断面図である。
【図６】本発明の実施形態における前面カバーの構造を説明するための背面から見た分解斜視図である。
【発明を実施するための形態】
【００１１】
以下に、本発明の好ましい実施の形態を、添付の図面に基づいて詳細に説明する。
【００１２】
本実施形態では、撮像装置としてデジタル一眼レフカメラ（以下、カメラという）を取り上げて説明する。各図において、カメラの光軸に平行な方向（カメラの奥行き方向）をＺ軸方向、カメラの上下方向（高さ方向）をＹ軸方向、カメラの左右方向（幅方向）をＸ軸方向に設定する。Ｘ軸方向、Ｙ軸方向、Ｚ軸方向は互いに直交する３方向である。
【００１３】
まず、本発明の実施例に係るカメラの全体の概略構成について図１および図２を参照して説明する。図１は、本実施例に係るカメラの外観図であり、撮影レンズユニット（不図示）を外した状態を示している。図１（ａ）は、カメラを前面側（被写体側）から見た斜視図であり、図１（ｂ）は、カメラを背面側（撮影者側）から見た斜視図である。図２は、カメラの内部の電気的構成を示す図である。
【００１４】
図１（ａ）に示すように、カメラ本体１の正面には、撮影レンズユニットを着脱可能に固定するマウント２が設けられている。マウント２には、カメラ本体１と撮影レンズユニットとの間で制御信号、状態信号およびデータ信号等の通信を可能にし、撮影レンズユニット側に電力を供給するマウント接点３が設けられている。また、カメラ本体１には、マウント２の近接した位置に、装着された撮影レンズユニットを取り外すときに押下するレンズロック解除ボタン４が設けられている。
【００１５】
カメラ本体１の内部には、撮影レンズを通過した撮影光束が導かれるミラーボックス２０が設けられている。ミラーボックス２０内には、撮影光束を所定の方向に反射させるメインミラー（クイックリターンミラー）６が配設されている。図２に示すように、メインミラー６は撮影光束をペンタダハミラー７の方向に導くように撮影光軸に対して４５°の角度に保持される状態と、固体撮像素子８（以下、撮像素子という）の方向に導くように撮影光束から退避した位置に保持される状態とに変化する。
【００１６】
カメラ本体１には撮影者がカメラ本体１を保持するためのグリップ部９が設けられている。グリップ部９には、撮影者がカメラに対して撮影を指示するためのレリーズボタン１０が設けられている。図２に示すように、レリーズボタン１０には、ＳＷ１（７ａ）とＳＷ２（７ｂ）とがあり、レリーズボタン１０の第１ストロークでＳＷ１がＯＮになり、第２ストロークでＳＷ２がＯＮになる。
【００１７】
カメラ本体１の上部には、フラッシュなどのカメラアクセサリ取り付け用のシュー溝１２および接点１３が設けられている。
【００１８】
また、図１（ｂ）に示すように、カメラ本体１の背面には、上述したメインミラー６により反射された撮像光束を撮影者が観察できるファインダ接眼窓１４が設けられている。カメラ本体１の背面の中央付近には、画像表示可能なカラー液晶モニタ１５が設けられている。
【００１９】
カメラ本体１の正面から見て右側には、外部機器端子コネクタ（不図示）を保護する端子カバー１６が配置され、左側には記録メディアを挿抜する時に開閉するためのメディアカバー１７が備えられている。
【００２０】
また、カメラ底面には、カメラへの電力を供給する電池（不図示）を収納する電池室１９の開口部の開閉を行う電池蓋１８が備えられている。
【００２１】
次に、カメラの内部の構成について図３、図４を参照して説明する。図３は、本実施例のカメラ前面側から見た分解斜視図である。図４は、カメラ背面側から見た分解斜視図である。図３、図４は、構成部品がカメラ前面側から撮影光軸に沿って、前面カバー５０、ミラーボックスユニット２２０、本体部材ユニット２３０、背面カバー（不図示）の順に配置されている。さらに、本体部材ユニット２３０の上側には、上面カバー６１、下側には、底面カバー６２が配置されている。
【００２２】
ミラーボックスユニット２２０には、ミラーチャージユニット２１、シャッターユニット２２、シャッターチャージユニット２３、が固定されている。ミラーチャージユニット２１は、撮影時にメインミラー６をアップダウンさせる駆動源であり、シャッターチャージユニット２３は、シャッターユニット２２のシャッター幕２４を走行させる駆動源である。また、上部には、ファインダーユニット７０が固定されている。
【００２３】
本体部材ユニット２３０は、本体部材３０に端子カバー１６、メディアカバー１７、ボトムベースプレート２０、撮像素子ユニット４０が固定されている。また、本実施例の本体部材３０は、金属と樹脂のインサート成型部品であり、電池室１９も一体化されている。本発明において、本体部材が金属のみで形成されていることや、電池室が別体であってもよい。
【００２４】
本体部材ユニット２３０の背面側には、上述したミラーボックスユニット２２０がビス２２１、２２２、２２３、２２４により４か所で固定されている。さらに、外装カバーである前面カバー５０、背面カバー（不図示）、上面カバー６１、底面カバー６２がビス等によって固定されている。
【００２５】
次に、図３において、前面カバー５０のビス締め固定の位置について詳細を説明する。グリップ部９の光軸中心（Ｙ方向）でビス５１によりＺ方向で本体部材３０に固定される。また、グリップ部９とマウント２の間で底面カバー６２、ミラーボックス２０と共にビス５２により、本体部材３０にＺ方向で共締め固定されている。さらに、カメラの外部端子側でビス５３、５４によりＺ方向の２カ所で本体部材３０に固定される。そして、ミラーボックス２０には、ビス５５、５６によりＺ方向の２か所、ビス５７により、Ｙ方向の１か所で固定される。
【００２６】
図５に、カメラグリップ部９をＺ方向に切断した断面構造を示す。Ｂ−Ｂ断面図を用いて、グリップ部９の厚み方向の構成に関して説明する。Ｂ−Ｂ断面図のＺＣはグリップ部９の最凸部９Ａを含むカメラの厚みであり、ＺＧはグリップ部９の最凹部９Ｂを含むカメラの厚みを示している。ＺＧは、カメラ内部にシャッターユニット２２、シャッターチャージユニット２３などが配置されるため、縮小することが困難である。また、ＺＧを変えずにＺＣを縮小すると、カメラホールド時にユーザーの指がグリップ最凹部９Ｂに接触するためにグリップ部９のホールド性が著しく悪化する。このため、本実施例のように、ＺＧの厚みに関わるカメラ内部の補強部材などを廃止してＺＧを縮小することで、カメラの厚みＺＣを縮小することが可能となり、カメラ全体を小型軽量化することができる。
【００２７】
続いて、グリップ部９に衝撃などの力が加わった時の状態について説明する。図５に示すようにカメラのグリップ部９にＸ方向でマウント２向きの力Ｆｘが加わった時、グリップ部９がマウント２側に大きく変形してしまう問題が生じる。本実施例では、Ａ−Ａ断面図、Ｂ−Ｂ断面図に示す４カ所にＸ方向で本体部材３０、前面カバー５０、ミラーボックス２０が突っ張る当接面を配置していることでＦｘに対するグリップ部９の変形を防止する構成となっている。図５の断面図Ａ−Ａで示す光軸中心位置でＨａとＦａ１、Ｆａ２とＭａが当接する平面部を設けている（詳細図ＡＡ、ＡＢ）。また、断面図Ｂ−Ｂで示す光軸より上側の位置でＨｂとＦｂ１、Ｆｂ２とＭｂが当接する平面部を設けている（詳細図ＢＡ、ＢＢ）。このような４か所の当接面を設置することで、グリップ部９にＦｘが加わった時、当接面が突き当たることでグリップ部９の変形を防止できる。
【００２８】
また、本実施例では、グリップ部９にかかるＦｘに対して、当接面を効果的な位置に配置にしている。断面図Ａ−Ａ、Ｂ−Ｂに示すようにＺ方向で同じ位置に当接面を配置していることで前面カバー５０が突っ張りやすく変形しにくい。さらに、当接面のＺ方向の位置に関して、グリップ最凸部９Ａに近くなっているため、グリップ最凸部９Ａ近傍にＦｘが加わった時も効果的にグリップ部９の変形を防止することが可能である。また、ミラーボックス２０の突き当て面Ｍａ、Ｍｂに関しては、ミラーボックス２０にマウント２が強固に固定されているため、前面カバー５０のＦａ２、Ｆｂ２が接触しても変形しにくい構成になっている。
【００２９】
次に、図６で前面カバー５０の補強構造について述べる。図６は、前面カバー５０と本体部材３０、ミラーボックスユニット２２０を背面から見た展開斜視図である。前面カバー５０のグリップ最凹部９Ｂにおいて、前述した４か所の当接面の上下にＺ方向で突出する補強リブｒ１（上側）、ｒ２（下側）を設けている。この補強リブ（ｒ１、ｒ２）により前面カバー５０のグリップ最凹部９ＢのＸ方向の強度が上がる。また、下側の補強リブｒ２は、本体部材３０へのビス５２による共締め箇所と一体化されており、前面カバー５０取付け時のグリップ最凹部９Ｂの強度がより強固になる構成である。また、前面カバー５０のグリップ最凸部９Ａの内部側の光軸中心位置でＺ方向の補強リブｒ３が形成されており、前述したように本体部材３０へもビス５１によりＺ方向にビス締め固定されている。このように光軸中心位置でＸ方向に沿って、当接面ＨａとＦａ１、Ｆａ２とＭａ、補強リブｒ３、ビス５１により固定されていることで、グリップ部９のＸ方向の強度が相乗的に向上する効果がある。
【００３０】
本発明によれば、本体部材３０または電池室とミラーボックスと２０の間で前面カバー５０が突っ張る構成にすることで、補強部材を廃止してもカメラ本体の剛性を維持する構成になるため、部品点数削減により小型軽量化することが可能である。
【００３１】
以上、本発明の好ましい実施形態について説明したが、本発明はこれらの実施形態に限定されず、その要旨の範囲内で種々の変形及び変更が可能である。
【符号の説明】
【００３２】
２：マウント
９：グリップ部
９Ａ：グリップ最凸部
９Ｂ：グリップ最凹部
２０：ミラーボックス
３０：本体部材
５０：前面カバー
５１、５２、５３、５４、５５、５６、５７：前面カバーの止めビス
Ｆａ１、Ｆｂ１、Ｆａ２、Ｆｂ２：前面カバーの当接面
Ｈａ、Ｈｂ：本体部材の当接面
Ｍａ、Ｍｂ：ミラーボックスの当接面
ｒ１、ｒ２、ｒ３：補強リブ
２２０：ミラーボックスユニット
２２１、２２２、２２３，２２４：ミラーボックスユニットの止めビス
２３０：本体部材ユニット
【図１】
2014021416.tif 000003
【図２】
2014021416.tif 000004
【図３】
2014021416.tif 000005
【図４】
2014021416.tif 000006
【図５】
2014021416.tif 000007
【図６】
2014021416.tif 000008